(57)【特許請求の範囲】
【請求項１】
バックホークや錠等を回避するための回避部が形成された車輪両側部を覆う汎用ドレスガード取付構造において、前記回避部に補助ドレスガードを取り付け、該補助ドレスガードが、前記汎用ドレスガードにおける回避部の一部に取り付けられるとともに、汎用ドレスガードの回避部周縁に設けた多数の係止部と補助ドレスガードの取付係止部とを選択的に係止具により係合させたことを特徴とする汎用ドレスガード取付構造。
【請求項２】
前記補助ドレスガードにおける取付係止部に、係止具の回止め溝を形成したことを特徴とする請求項１に記載の汎用ドレスガード取付構造。
【請求項３】
前記補助ドレスガードが左右一体構造にて形成されたことを特徴とする請求項１または２に記載の汎用ドレスガード取付構造。
【請求項４】
前記補助ドレスガードが左右別体構造にて形成され、それらが接続部により接続可能に構成されたことを特徴とする請求項１から３のいずれかに記載の汎用ドレスガード取付構造。
【発明の詳細な説明】
【技術分野】
【０００１】
本発明は、バックホークや錠等を回避するための回避部が形成された車輪両側部を覆う汎用ドレスガード取付構造に関する。
【背景技術】
【０００２】
従来、自転車等の二輪車に搭乗する際には通常の服装にて搭乗することが多い。そして、その際、走行風や側面からの強風に起因してスカートやズボンの裾あるいはコートの裾等が車輪に巻き込まれ、着衣の汚損や破損を招く他、最悪の場合には搭乗者自身に危害が及ぶこともあった。そのようなことから、チェーンステーから最後部の泥除けステー辺りまでの広範囲に渡って左右の車輪側部を覆うドレスガードを取り付けることが行われている。そして、これらの車輪側部を覆うドレスガードは、キャリアの上部等に幼児用座席を取り付けたものにおける幼児の脚の巻込み防止にも有効である。ところが、ドレスガードをチェーンステーから最後部の泥除けステー辺りまでの広範囲に渡って取り付けることが最適であるが、特に、シートチューブ上端部とチェーンステー後端部とに渡設されるバックホークにはサークル錠等が設置されることもあって、バックホークやサークル錠等の錠とドレスガードとの間で干渉が生じることが避けられなかった。
【０００３】
そのようなことから、バックホークや錠等との干渉を回避するための工夫を施したものが提案された（例えば下記特許文献１参照）。
【先行技術文献】
【特許文献】
【０００４】
【特許文献１】特開２００３−１６００７５号公報（段落００１９参照）
【発明の開示】
【発明が解決しようとする課題】
【０００５】
特許文献１に開示された従来の巻き込み防止カバーを図６を用いて簡単に説明すると、図６（Ｂ）に示したような２つの同一形状のカバー体１１１を、第１切取部１１２を切り取ることにより所望の左カバー体形状１１１Ｌ（図示外、公報図２参照）とし、第２切取部１１３を切り取ることにより所望の右カバー体形状１１１Ｒ（図６（Ａ））とするように構成したものにおいて、これらの左右のカバー体１１１Ｌ、１１１Ｒにおけるバックホーク１０４および該バックホーク１０４に取り付けられたサークル錠１２０との干渉を回避するために、図６（Ｂ）に示すように、これら骨杆部１１４の一部分を切り取ったものである。これによって、左右のカバー体１１１Ｌ、１１１Ｒをバックホーク１０４やサークル錠１２０との干渉を回避しつつ、広範囲にてスカートやズボンの裾あるいはコートの裾等さらには、幼児の脚等を巻き込むことが防止できることとなった。
【０００６】
しかしながら、前記従来の巻き込み防止カバーにおけるバックホークやサークル錠との干渉回避構造では、特殊な構造の巻き込み防止カバーの準備を必要とし、骨杆部１１４の一部分を切り取ることによる工程数の増加が必要な上に、骨杆部１１４の一部分を切り取ることによる強度の急変部が生じて、該強度の急変部近傍での泥除け等への固定部をさらに必要とした。そこで、図４、図５に示したような、バックホーク３や該バックホーク３に設置されたサークル錠等（図示省略）との干渉を回避した、急激な強度変化のないなだらかな曲線によって切り取られた回避部１０を形成した汎用ドレスガード９をバックホーク３等に取り付けるものが採用されている。しかしながら、このような汎用ドレスガード９を採用する場合には、取り付けられる二輪車のサイズによっては、前記回避部１０のスペースの大きさに大小の差が生じ、回避部１０が大きい場合には依然として巻込みの危険性があった。
【０００７】
そこで本発明は、前記従来のドレスガード等の巻き込み防止カバー取付構造における諸課題を解決して、バックホークや錠等を回避するための回避部が形成された車輪側部を覆う汎用のドレスカバーを種々のフレームサイズや形状の二輪車に対してもそのまま採用することを可能にして、バックホークや錠等との干渉を回避しつつ、広範囲にてスカートやズボンの裾あるいはコートの裾等、さらには、幼児の脚等を巻き込むことを効果的に防止できる汎用ドレスガード取付構造を提供することを目的とする。
【課題を解決するための手段】
【０００８】
このため本発明は、バックホークや錠等を回避するための回避部が形成された車輪両側部を覆う汎用ドレスガード取付構造において、前記回避部に補助ドレスガードを取り付け、該補助ドレスガードが、前記汎用ドレスガードにおける回避部の一部に取り付けられるとともに、汎用ドレスガードの回避部周縁に設けた多数の係止部と補助ドレスガードの取付係止部とを選択的に係止具により係合させたことを特徴とする。また本発明は、前記補助ドレスガードにおける取付係止部に、係止具の回止め溝を形成したことを特徴とする。また本発明は、前記補助ドレスガードが左右一体構造にて形成されたことを特徴とする。また本発明は、前記補助ドレスガードが左右別体構造にて形成され、それらが接続部により接続可能に構成されたことを特徴とするもので、これらを課題解決のための手段とするものである。
【発明の効果】
【０００９】
本発明によれば、バックホークや錠等を回避するための回避部が形成された車輪両側部を覆う汎用ドレスガード取付構造において、前記回避部に補助ドレスガードを取り付け、該補助ドレスガードが、前記汎用ドレスガードにおける回避部の一部に取り付けられるとともに、汎用ドレスガードの回避部周縁に設けた多数の係止部と補助ドレスガードの取付係止部とを選択的に係止具により係合させたことにより、バックホークや錠等を回避するための回避部が形成された車輪両側部を覆う汎用のドレスカバーを種々のフレームサイズや形状の二輪車に対してもそのまま採用することを可能にして、バックホークや錠等との干渉を回避しつつ、補助ドレスガードを後付けにて取り付けるだけで、広範囲にてスカートやズボンの裾あるいはコートの裾等さらには、幼児の脚等を巻き込むことを効果的に防止できる。しかも、汎用ドレスガードにおける回避部に対して巻込み防止機能を必要とする範囲のみに補助ドレスガードを取り付ければよいので、補助ドレスガードを含めたドレスガードの小型軽量化が可能となる。その上、汎用ドレスガードの回避部周縁に対して補助ドレスガードの取付係止部の取付位置を自在に選択して調整しつつ取り付けることが可能となり、種々のフレームサイズや形状に対応させた補助ドレスガードの取付位置の設計の自由度が向上する。
【００１０】
削除
【００１１】
さらにまた、前記補助ドレスガードにおける取付係止部に、係止具の回止め溝を形成した場合は、係止具としてボルト・ナット等を採用した場合に、非回転形状のナットあるいはボルト頭を回止め溝に整合させることができて、ナットあるいはボルト頭を抑えるための工具が不要となり、係合のための工程が簡便になる。また、前記補助ドレスガードが左右一体構造にて形成された場合は、左右の補助ドレスガードの一方を紛失するような虞れもなく、左右の補助ドレスガードにおける連結部等を泥除けに載置しつつガイドされて補助ドレスガードを左右に振り分けて迅速にドレスガードに取り付けることを可能にする。
【００１２】
さらに、前記補助ドレスガードが左右別体構造にて形成され、それらが接続部により接続可能に構成された場合は、汎用ドレスガードに対する左右別体構造の補助ドレスガードの取付係止部を先に取り付けておいて、それぞれの補助ドレスガードの接続部にてあとから接続できるので、汎用ドレスガードに対する左右別体構造の補助ドレスガードの取付精度の誤差を吸収できる接続部構造等を容易に選択することができる。
【図面の簡単な説明】
【００１３】
【図１】本発明の汎用ドレスガード取付構造の側面図および一部拡大側面図である。
【図２】同、汎用ドレスガード取付構造に採用される第１実施例としての補助ドレスガードの裏表斜視図である。
【図３】同、汎用ドレスガード取付構造に採用される第２実施例としての左右別体構造の補助ドレスガードの斜視図および接続部の説明図である。
【図４】同、汎用ドレスガードの車体右側における取付形態の説明図である。
【図５】同、汎用ドレスガードの車体左側における取付形態の説明図である。
【図６】従来の巻き込み防止カバーの説明図である。
【発明を実施するための形態】
【００１４】
以下、本発明の汎用ドレスガード取付構造を実施するための好適な形態を図面に基づいて説明する。本発明の汎用ドレスガード取付構造は、図１に示すように、バックホーク３や錠４等を回避するための回避部１０が形成された車輪側部を覆う汎用ドレスガード９取付構造において、前記回避部１０に補助ドレスガード１１を取り付け、該補助ドレスガード１１が、前記汎用ドレスガード９における回避部１０の一部に取り付けられるとともに、汎用ドレスガード９の回避部周縁に設けた多数の係止部１２Ｕと補助ドレスガード１１の取付係止部１３とを選択的に係止具により係合させたことを特徴とするものである。
【実施例１】
【００１５】
以下、本発明の汎用ドレスガード取付構造の第１実施例について説明する。図４および図５は、汎用ドレスガード９がそれぞれ後車輪の車体右側および車体左側に取り付けられた状態の説明図で、汎用ドレスガード９は格子状の好適には合成樹脂等プラスチック製板状体から構成されるが類系の適宜の素材も採用され得る。汎用ドレスガード９としては、例えば、図５に示したように、車体左側に配設されるドラムブレーキ８を回避した下部回避部１０Ｄを形成した車体左側用および図４に示した車体右側用のものがそれぞれ用意されてもよいが、自転車の形式によっては、同一形状のものを表裏使用可能に構成されるのを排除しない。いずれにしても、汎用ドレスガード９の上部には、シートチューブ１の上端部とチェーンステー２の後端部とに渡設されるバックホーク３や該バックホーク３等に設置されたサークル錠（図示省略）との干渉を回避するために回避部１０が形成されている。
【００１６】
汎用ドレスガード９は、比較的車体幅方向寸法が小さい一対のバックホーク３の車体幅方向の外側に配設され、比較的車体幅方向寸法が大きい一対のキャリアステー６の車体幅方向の内側に配設される。キャリアステー６は、泥除けの上部に配設された荷台等キャリア７の下部と前記チェーンステー２の後端部との間に渡設される。汎用ドレスガード９は、前端部に形成された前部泥除け取付部２０Ｆおよび後端上部に形成された後部泥除け取付部２０Ｒにより泥除け５の対応部位に取り付けられる。汎用ドレスガード９の下縁は、図４に示すように、下部周縁係止部を構成する多数の係止孔１２Ｄを選択的に使用することで、例えば、キャリアステー６の下部に取り付けられる。あるいは、図５に示したように、チェーンステー２やキャリアステー６の双方に取り付けることができる。
【００１７】
前述したように、バックホーク３や該バックホーク３等に設置されたサークル錠との干渉を回避するために汎用ドレスガード９の周縁に回避部１０は種々のフレームサイズや形状に対応できるように通常より少し大き目に形成されている。前記汎用ドレスガード９の回避部１０の周縁には多数の係止部を構成する上部係止孔１２Ｕが穿設されている。そして本発明では、図１に示すように、この汎用ドレスガード９の回避部１０を塞ぐ形態にて補助ドレスガード１１が配設されて取り付けられる。これにより、バックホーク３や錠４等を回避するための少し大き目の回避部１０が形成された車輪側部を覆う汎用ドレスカバー９をそのまま採用することを可能にして、バックホーク３や錠４等との干渉を回避しつつ、補助ドレスガード１１を後付けにて取り付けるだけで該補助ドレスガードが汎用ドレスガードの取付具としても機能して、車輪側部の広範囲にて汎用ドレスガードの回避部近傍を泥除けやフレームタイに取り付けずとも確実にスカートやズボンの裾あるいはコートの裾等さらには、幼児の脚等を巻き込むことを効果的に防止できるものである。そしてまた、１つの種類の汎用ドレスガードを異なった種々のサイズの二輪車に取り付ける場合に、それにより生じる異なった大きさの回避部に対しても補助ドレスガードの取付け部の誤差吸収機能により、あるいは異なったサイズの補助ドレスガードを採用して対応させることができる。
【００１８】
図２に示すように、本実施例の補助ドレスガード１１は左右一体構造にて形成され、補助ドレスガード１１における格子状の左側部１１Ｌ（車輪の左側に取り付けられる部分）と右側部１１Ｒとを連結部１９によって接続された形状を呈しており、図２（Ａ）に示すように、補助ドレスガード１１の連結部１９の反対側となる両端部（汎用ドレスガード９の回避部１０の周縁に取り付ける部位）には一対の取付係止部１３が突設され、これらの取付係止部１３には例えば、それぞれ係止具挿入孔１７が穿設される。好適には車体内側となるこれらの取付係止部１３の面には係止具１４（図１参照）の回止め溝１６が形成される。これにより、係止具１４としてボルト・ナット等を採用した場合に、補助ドレスガード１１の取付係止部１３を汎用ドレスガード９の回避部１０の周縁に取り付ける際に、車体内側から挿入した非回転形状のナットあるいはボルト頭を回止め溝１６に整合させることでナットあるいはボルト頭を抑えるための工具が不要となり、係合のための工程が簡便になる。
【００１９】
補助ドレスガード１１の前記連結部１９の表面（図示の例では外側面）には凹凸が形成されて、泥除け５の表面に添設等する際の連結部１９の曲折を容易にできる。取付係止部１３における係止具挿入孔１７は長孔に構成されて、汎用ドレスガード９への補助ドレスガード１１の取付誤差や汎用ドレスガード９が取り付けられる二輪車のサイズ差により生じる回避部１０の大きさに対応させて取り付けることを可能にする。本実施例の左右一体構造の補助ドレスガード１１では、左右の補助ドレスガードの一方を紛失するような虞れもなく、左右の補助ドレスガード１１Ｌ、１１Ｒにおける連結部１９等を泥除け５に載置しつつガイドされて補助ドレスガード１１を左右に振り分けて迅速に汎用ドレスガード９に取り付けることを可能にする。
【００２０】
図１に示すように、補助ドレスガード１１の両端部（下部）における取付係止部１３は、汎用ドレスガード９における回避部１０の周縁における係止部を構成する多数の係止孔１２Ｕに選択的に取り付けられる。つまり、汎用ドレスガード９における回避部１０の少なくとも巻込み防止機能が必要な最小限の範囲のみの一部に補助ドレスガード１１を取り付けるべく、補助ドレスガード１１の取付係止部１３の取付位置を自在に選択して調整しつつ取り付けることが可能となり、幼児用座席のサイズ等に対応させた補助ドレスガード１１の取付位置の設計の自由度が向上する。また、汎用ドレスガード９における回避部１０の少なくとも巻込み防止機能が必要な最小限の範囲のみの一部に小型の補助ドレスガード１１を取り付ければよいので、補助ドレスガード１１を含めたドレスガードの小型軽量化が可能となる。
【実施例２】
【００２１】
図３は本発明の汎用ドレスガード取付構造に採用される第２実施例としての左右別体構造の補助ドレスガードの斜視図および接続部の説明図である。本実施例では、図３（Ａ）に示すように、補助ドレスガード１１は、例えば、雄片１５Ｍを先端に形成した左側連結部１９Ｌを有する左側部１１Ｌと、雌片１５Ｆを先端に形成した右側連結部１９Ｒを有する右側部１１Ｒとの別体構造から構成される。これらの左右の連結部１９Ｌ、１９Ｒの先端にそれぞれ形成した雄片１５Ｍと雌片１５Ｆとを挿入位置を調整可能に挿入ロックして接続部１５が構成される。図３（Ａ）のＢ−Ｂ断面図である図３（Ｂ）に示すように、雌片１５Ｆ内には、ばね２１によりロック方向（図示の例では上方）へ付勢された爪１５Ｃを上面に形成したロック爪部１５Ｂと一体のロック解除ボタン１５Ａが収容されており、図３（Ａ）のＣ−Ｃ断面図である図３（Ｃ）に示すように、雌片１５Ｆ内に挿入されてくる雄片１５Ｍに形成された多数の爪１５Ｄの適宜位置のものをロック爪部１５Ｂの爪１５Ｃにより係止してロックする。
【００２２】
かくして、汎用ドレスガード９への補助ドレスガード１１の取付誤差や、異なったサイズの自転車等への汎用ドレスガード９の取付けに対応させて、前記雌片１５Ｆに対する雄片１５Ｍの挿入位置を調整することができる。雌片１５Ｆに対する雄片１５Ｍの挿入位置の調整あるいは雌片１５Ｆに対する雄片１５Ｍのロック解除の際には、前記ロック爪部１５Ｂと一体のロック解除ボタン１５Ａをばね２１の復元力に抗して押圧することで下降させ、ロック爪部１５Ｂにおける爪１５Ｃは雄片１５Ｍにおける爪１５Ｄから開放されて調整移動や接続の分離が可能となる。かくして、本実施例の左右別体構造の補助ドレスガードでは、汎用ドレスガード９に対して左右別体構造の補助ドレスガード１１Ｌ、１１Ｒの各取付係止部１３を先に取り付けておいて、それぞれの補助ドレスガード１１の接続部１９Ｌ、１９Ｒにてあとから接続できるので、汎用ドレスガード９に対する左右別体構造の補助ドレスガード１１Ｌ、１１Ｒの取付精度の誤差を吸収できる接続部構造等を容易に選択することができる。
【００２３】
以上、本発明の実施例について説明してきたが、本発明の趣旨の範囲内で、汎用ドレスガードの形状（実施例の格子状についても適宜の網目等の形態も採用できるし、格子状に限定されることもないし、回避部の曲線形状についても適宜の回避曲線が採用できる）、形式（車体の左右に各別に配設される部品等に対応させた左右各別に異なった形式のものにも適用が可能であるし、表裏使用可能な左右同一規格の形式に適用が可能である）および材質（成形が容易な板状の合成樹脂等プラスチックを好適とするが、軽金属等類系の適宜の素材も採用できる）、汎用ドレスガードにおける回避部については、バックホークや該バックホークあるいは近傍に取り付けられる適宜ステー等に取り付けられる錠等を回避するために形成される場合もある。補助ドレスガードは、汎用ドレスガードにおける回避部の少なくとも巻込み防止を必要とする一部に取り付けられることを好適とするが、回避部全体に渡って複数個取り付けられることを排除しない。
【００２４】
また、汎用ドレスガードの多数の係止部と補助ドレスガードの取付係止部の形状、形式（実施例の係止具としてボルト・ナットを採用した場合には係止部および取付係止部は挿入孔形態を採るが、補助ドレスガードの取付係止部にピン等を突設して汎用ドレスガードの周縁係止部としての孔に挿入固定することもできるし、補助ドレスガードの取付係止部を孔形式にして汎用ドレスガードの周縁係止部を多数の突起形式にすることも可能である）、補助ドレスガードにおける取付係止部における係止具の回止め溝の形成形態、左右別体構造における補助ドレスガードの接続部の接続形態（実施例の雄片および雌片によるロック可能な挿入位置調整接続形態を好適とするが、単に左右の連結部をクランプやボルト・ナット等にて連結するだけのものも採用できる）等については適宜選定できる。また、実施例に記載の諸元はあらゆる点で単なる例示に過ぎず限定的に解釈してはならない。
【産業上の利用可能性】
【００２５】
本発明の汎用ドレスガード取付構造は、自転車の後輪の両側部を覆う汎用ドレスガード取付構造に適用されるが、前輪側にも適用が可能であるし、二輪車一般にも適用が可能である。
【符号の説明】
【００２６】
１        シートチューブ
２        チェーンステー
３        バックホーク
４        錠（サークル錠等）
５        泥除け
６        キャリアステー
７        キャリア
８        ブレーキ（ドラムブレーキ等）
９        汎用ドレスガード
１０        回避部
１１        補助ドレスガード
１２Ｕ      周縁係止部（係止孔等）
１３        取付係止部（補助ドレスガードの）
１４        係止具（ボルト・ナット等）
【図１】
0005554315.tif 000002
【図２】
0005554315.tif 000003
【図３】
0005554315.tif 000004
【図４】
0005554315.tif 000005
【図５】
0005554315.tif 000006
【図６】
0005554315.tif 000007